(57)【要約】      （修正有）【課題】厚さがカード等と比較して厚い物品であっても、また、接着に適さない物品であっても、簡単に郵送することができる郵送セットを提供する。【解決手段】物品を郵送するための郵送セット１であり、板状に形成されるとともに物品収納部を有するホルダ１０と、ホルダ１０の物品収納部に収納される物品２０と、少なくともホルダ１０の表面１１Ａ側を覆う第１面３１を有し、展開状態においてシート状となるカバー３０と、カバーをホルダに留める留め手段４０とを備える。【選択図】図１
0003206987.tif 000002
【実用新案登録請求の範囲】
【請求項１】
物品を郵送するための郵送セットにおいて、
板状に形成されるとともに物品収納部を有するホルダと、
前記ホルダの前記物品収納部に収納される物品と、
少なくとも前記ホルダの表面側を覆う第１面を有し、展開状態においてシート状となるカバーと、を備える、
ことを特徴とする郵送セット。
【請求項２】
前記カバーの前記第１面における外面側に、郵便物の記載事項が記載されている、
ことを特徴とする請求項１に記載の郵送セット。
【請求項３】
前記物品収納部は、前記ホルダの表面側から裏面側に向かう厚さ方向に窪んだ凹状に形成されている、
ことを特徴とする請求項１又は２に記載の郵送セット。
【請求項４】
前記物品が、１種又は複数種の基本形状の、相互に係脱し得る複数のブロックである、
ことを特徴とする請求項３に記載の郵送セット。
【請求項５】
前記複数個のブロックは、前記物品収納部に対し、前記厚さ方向に直交する縦方向及び横方向にそれぞれ複数列に整列されて収納されている、
ことを特徴とする請求項４に記載の郵送セット。
【考案の詳細な説明】
【技術分野】
【０００１】
本考案は、厚さのある物品を簡単に郵送することができる郵送セットに関する。
【背景技術】
【０００２】
従来、例えば、テレホンカード等のカードを私製はがきの一部として郵送するものが知られている（例えば、特許文献１参照）。
【０００３】
このものは、接着剤がコーティングされている１枚目の用紙の接着剤側に２枚目の用紙を張り合わせ、この２枚目の用紙の一部を、カードの大きさに型抜きし、これにより露出した接着剤に、カードを貼りつけるものである。このものは、カードの台紙としてだけではなく、私製はがきとしても利用することができる。
【先行技術文献】
【特許文献】
【０００４】
【特許文献１】特開平６−２４７０７９号公報
【考案の概要】
【考案が解決しようとする課題】
【０００５】
しかしながら、上述の特許文献１のものを私製はがきとして使用する場合、カード等の厚さが薄いものに対しては有効であるものの、厚さが厚いものは、台紙から出っ張るため、郵送の途中で引っかかって脱落したりするという問題がある。また、カード等の保持方法が接着であるため、接着に適さない物品の郵送は困難であるという問題もある。
【０００６】
本考案は、上述した事情に鑑みてなされたものであり、厚さがカード等と比較して厚い物品であっても、また、接着に適さない物品であっても、簡単に郵送することができる郵送セットを提供することを目的とするものである。
【課題を解決するための手段】
【０００７】
請求項１に係る考案は、物品を郵送するための郵送セットにおいて、板状に形成されるとともに物品収納部を有するホルダと、前記ホルダの前記物品収納部に収納される物品と、少なくとも前記ホルダの表面側を覆う第１面を有し、展開状態においてシート状となるカバーと、を備える、ことを特徴とする。
【０００８】
請求項２に係る考案は、請求項１に記載の郵送セットにおいて、前記カバーの前記第１面における外面側に、郵便物の記載事項が記載されている、ことを特徴とする。
【０００９】
請求項３に係る考案は、請求項１又は２に記載の郵送セットにおいて、前記物品収納部は、前記ホルダの表面側から裏面側に向かう厚さ方向に窪んだ凹状に形成されている、ことを特徴とする。
【００１０】
請求項４に係る考案は、請求項３に記載の郵送セットにおいて、前記物品が、１種又は複数種の基本形状の、相互に係脱し得る複数のブロックである、ことを特徴とする。
【００１１】
請求項５に係る考案は、請求項４に記載の郵送セットにおいて、前記複数個のブロックは、前記物品収納部に対し、前記厚さ方向に直交する縦方向及び横方向にそれぞれ複数列に整列されて収納されている、ことを特徴とする。
【００１２】
なお、（６）の考案は、請求項５に記載の郵送セットにおいて、前記ブロックは、直方体状のブロック本体と、前記ブロック本体の１つの面に突設された凸部と、前記ブロック本体における前記１つの面に対向する面に設けられて、隣接する前記ブロックの前記凸部が係脱し得る凹部とが一体に形成されており、前記物品収納部に対し、前記凸部が前記ホルダの前面側、前記凹部が前記ホルダの裏面側に位置する向きで収納されている、ことを特徴とする。
【００１３】
（７）の考案は、請求項１ないし５、（６）のいずれかに記載の郵送セットにおいて、前記カバーは、前記第１面と、前記ホルダの裏面側を覆う第２面と、前記ホルダの厚さ方向に対応する４つの側面のうちの１つを覆うとともに前記第１面と前記第２面とを連結する連結面と、を有する、ことを特徴とする。
【００１４】
（８）の考案は、（７）に記載の郵送セットにおいて、前記カバーは、前記ホルダの４つの側面のうちの前記連結面が覆う側面に対向する別の側面を覆うとともに前記第１面と前記第２面とを連結する別の連結面を有していて、全体として筒状に形成されている、
ことを特徴とする。
【００１５】
（９）の考案は、（８）に記載の郵送セットにおいて、前記カバーは、前記筒状に形成された一方の開口部から他方の開口部に至る切り取り用のミシン線を有する、ことを特徴とする。
【００１６】
（１０）の考案は、（９）に記載の郵送セットにおいて、前記カバーは、前記連結面における前記１面との交差部及び前記第２面との交差部、又は前記別の連結面における前記１面との交差部及び前記第２面との交差部に前記ミシン線を有する、ことを特徴とする。
【考案の効果】
【００１７】
請求項１の考案によれば、ホルダの物品収納部に物品を収納し、カバーの第１面によりホルダの表面側を覆うことにより、接着剤を使用することなく物品収納部から物品が脱落することを防止することができるので、カード等と比較して厚さが厚く、また、任意の形状の物品を保持することができる。また、カバーに対して印刷等が容易である。
【００１８】
請求項２の考案によれば、郵送セット全体を定形郵便物、定形外郵便物として容易に使用することができる。
【００１９】
請求項３の考案によれが、物品収納部にホルダの表面側から物品を収納することができる。
【００２０】
請求項４の考案によれば、ブロックを適宜に係合させることで、完成品を作ることができる。逆に、完成品のサイズがホルダの厚さを超えるものであったとしても、完成品を分解したブロックのサイズが、ホルダの厚さを超えないものであれば、郵送することが可能である。
【００２１】
請求項５の考案によれば、複数のブロックを縦方向及び横方向に整列させて物品収納部に収納することにより、多くのブロックを収納することが可能になる。
【００２２】
なお（６）の考案によれば、ブロック本体が直方体状に形成されているので、凸部がホルダの前面側、凹部がホルダの後面側に位置するように配置すると、複数のブロックを、縦方向及び横方向に隙間なく効率的に配置することができる。
【００２３】
（７）の考案によれば、カバーの第１面と第２面とこれらを連結する連結面とにより、
ホルダの前面と後面とこれらの間の１つの側面とを覆うことができる。
【００２４】
（８）の考案によれば、カバーの第１面と第２面とこれらを連結する連結面とこの連結面に対向する別の連結面とにより、ホルダの前面と後面とこれらの間の１つの側面とこの側面に対向する別の側面とを筒状に覆うことができる。
【００２５】
（９）の考案によれば、カバーをミシン線に沿って切りとることにより、カバーを開いて、簡単にホルダを取り出すことができる。
【００２６】
（１０）の考案によれば、ミシン線に沿って切りとることにより、連結面又は別の連結面を簡単に切除することができる。
【図面の簡単な説明】
【００２７】
【図１】実施形態１の郵送セット１を正面側右斜め上方から見た斜視図である。
【図２】ホルダ１０を正面側右斜め上方から見た斜視図である。
【図３】実施形態１のカバー３０の展開状態を示す図である。
【図４】郵送セット１Ａの分解斜視図である。
【図５】郵送セット１Ｂの分解斜視図である。
【図６】ホルダ１０Ａを説明する斜視図である。
【図７】カバー３０Ａを説明する斜視図である。
【図８】ホルダ１０Ｂを説明する斜視図である。
【図９】カバー３０Ｂを説明する斜視図である。
【図１０】カバー３０Ｃを説明する斜視図である。
【図１１】ナノブロックの基本形状のブロック２１を説明する図であり、〈Ａ〉は上面図、（Ｂ）は正面図である。
【図１２】実施形態３の郵送セット１を正面側右斜め上方から見た斜視図である。
【図１３】実施形態２のカバー３０の展開状態を示す図である。
【考案を実施するための形態】
【００２８】
以下、本考案を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２９】
図１〜図３を参照して本考案を適用した実施形態１に係る郵送セット１について説明する。なお、以下の説明では、図１中の矢印の前後左右上下が、それぞれ郵送セット１の前後左右上下であるものとして説明する。
【００３０】
郵送セット１は、ホルダ１０と、物品２０と、カバー３０とを備えて構成されている。郵送セット１全体は、縦長の長方形の板状に形成されている。ここで、郵送セット１の左右寸法（短辺）を長さａ、高さ寸法（長辺）を長さｂ、前後寸法を厚さｔ、重さをｗとする。
【００３１】
郵送セット１全体を、例えば、第一種郵便物の定形郵便物として取り扱う場合には、９ｃｍ≦ａ≦１２ｃｍ、１４ｃｍ≦ｂ≦２３．５ｃｍ、ｔ≦１ｃｍに設定する。この場合、ｗ≦２５ｇであれば、８０円で郵送することができ、また、ｗ≦５０ｇであれば、９０円で郵送することができる。
【００３２】
また、郵送セット１全体を、例えば、第一種郵便物の定形外郵便物として郵送する場合には、１４ｃｍ≦ｂ≦６０ｃｍ、９ｃｍ≦ａ、ａ＋ｂ＋ｃ≦９０ｃｍ、ｗ≦４ｋｇに設定する。この場合の郵送料金は、ｗが増加するのに従って、段階的に増加し、例えば、最大の４ｋｇで１１５０円である。
【００３３】
ホルダ１０全体は、図１，図２に示すように、郵送セット１と同様、縦長の長方形の板状に形成されている。ホルダ１０の短辺、長辺、厚さは、後述するカバー３０の厚さを考慮しない場合には、郵送セット１と同様の長さａ，ｂ，ｔとなる。
【００３４】
ホルダ１０は、外形が縦長の長方形のホルダ本体１１と、その前面（表面）１１Ａ側に貼着された表シール１２と、後面（裏面）１１Ｂ側に貼着された裏シール１３とを有している。ホルダ１０は、他に、前面１１Ａと後面１１Ｂとの間に、厚さ（ｔ）に対応する４つの側面として、右側面１１Ｃ、左側面１１Ｄ、上側面１１Ｅ、下側面１１Ｆを有している。
【００３５】
ホルダ本体１１には、長方形状（又は正方形状）の物品収納部Ｓが形成されている。この物品収納部Ｓは、ホルダ本体１１の前面１１Ａと後面１１Ｂとを貫通するように構成されている。つまり、物品収納部Ｓは、ホルダ本体１１のうちの、上側の左右に長い部分１１ａ、左側の縦に長い部分１１ｂ、右側の縦に長い部分１１ｃ、下側の左右に長い部分１１ｄに囲繞されるように形成されている。なお、図示例では、物品収納部Ｓの形状は、長方形状であるが、この形状については、例えば、物品２０に対応して、他の任意の形状、例えば、菱形、平行四辺形、円形、楕円形としてもよい。
【００３６】
ここで、ホルダ本体１１の物品収納部Ｓに後述する裏シール１３を設けることにより、ホルダ１１全体としては、物品収納部Ｓが、前面（表面）１１Ａ側から後面（裏面）１１Ｂ側に向かう厚さ方向に窪んだ凹状に形成されていることになる。
【００３７】
なお、物品収納部Ｓとしては、上述のように、ホルダ本体１１の前面１１Ａと後面１１Ｂとを貫通するものの他に、貫通しない凹部（不図示）であってもよい。例えば、３枚のボール紙を重ね合わせてホルダ本体１１を構成する場合、前面１１Ａ側の２枚のボール紙については表裏方向に貫通する透孔を設け、残りの後面１１Ｂ側の１枚のボール紙については、何も設けず、３枚を貼り合わせる。これにより、前面１１Ａ側から凹んだ凹部を構成することができる。この場合、３枚目のボール紙は、凹部の底部を構成することになる。なお、このように表裏方向に貫通しない凹部を設ける場合には、後述する裏シール１３を省略することが可能である。
【００３８】
ホルダ本体１１は、例えば、ボール紙や合成樹脂（発泡スチロール）によって作製することができる。物品収納部Ｓを形成する方法としては、例えば、ホルダ本体１１が複数のボール紙を張り合わせて形成されている場合には、各ボール紙に物品収納部Ｓと同形の孔を開けておき、これらボール紙を重ね合わせることで、物品収納部Ｓを形成することができる。また、ホルダ本体１１から、プレス等で物品収納部Ｓを打ち抜いて形成することもできる。
【００３９】
なお、物品収納部Ｓは、上述の部分１１ａ，１１ｂ，１１ｃ，１１ｄの少なくともいずれかがない、例えば、部分１１ｃを設けないで構成することも可能ではあるが、図示例のように、周囲全体が部分１１ａ，１１ｂ，１１ｃ，１１ｄで囲繞されるように構成することにより、ホルダ本体１１の強度を確保することができる。
【００４０】
ホルダ本体１１の厚さは、物品収納部Ｓに収納する物品２０に応じて決めるとよい。例えば、後述するナノブロックの複数のブロック２１を整列させて収納するのであれば、ブロック２１（Ｂ３）の高さＴに合わせて５ｍｍに設定したり、縦Ｌ１（横Ｌ１）に合わせて８ｍｍに競ってしたりするとよい。この場合には、物品収納部Ｓに整列状態で複数のブロック２１を配置し、裏カバー１３、表カバー１２をホルダ本体１１に取り付けることにより、ブロック２１が物品収納部Ｓから出っ張ったり、ブロック２１と表カバー１２との間に間隙が形成されて、ブロック２１が不要に移動したりするおそれがない。
【００４１】
表シール１２は、物品収納部Ｓの前面１１Ａ側を覆うものであり、例えば、光透過性（透明又は半透明）のシールによって構成することができる。表シール１２は、その上側、左側、右側、下側を、それぞれこの順に、ホルダ本体１１の部分１１ａ，１１ｂ，１１ｃ，１１ｄに接着剤等によって貼着することにより、物品収納部Ｓの表面側（正面側）を閉鎖する。表シール１２を剥離することにより、物品収納部Ｓに収納されていた物品２０を取り出すことができる。表シール１２を光透過性のもので構成することにより、表シール１２を剥がすことなく、ホルダ１０の外部から、物品２０を視認することができる。
【００４２】
表シール１２は、特に物品収納部Ｓに収納された物品２０が外部から見えるようにする必要がない場合には、光透過性の部材以外の部材で形成するようにしてもよい。
【００４３】
裏シール１３は、長方形に形成されていて、短辺及び長辺の長さａ，ｂが、ホルダ本体１１と同じに設定されている。裏シール１３は、ホルダ本体１１の後面１１Ｂの全体に貼着されることにより、物品収納部Ｓの裏面側（背面側）を閉鎖している。裏シール１３の後面１３Ａには、例えば、物品２０の効能の説明、取り扱い説明、組立説明等を記載しておくとよい。これにより、ホルダ１０を単体の商品として販売したり、流通させたりすることが容易となる。なお、これらの記載に代えて、これらを記載した紙片等を、物品収納部Ｓに物品２０と一緒に入れるようにしてもよい。
【００４４】
なお、裏シール１３は、ホルダ本体１１の後面１１Ｂの全体を覆う代わりに、物品収納部Ｓの裏面側のみを覆うようにしてもよい。この場合には、裏シール１３を小さくすることができ、材料の節約になる。
【００４５】
ホルダ１０は、厚さｔを変えることで、物品収納部Ｓに種々の物品２０を収納することが可能となる。
【００４６】
なお、物品収納部Ｓに収納する物品２０によっては、必ずしも表シール１２及び裏シール１３を設ける必要はない。例えば、物品２０として、ハンカチやストラップを物品収納部Ｓに収納する場合には、特に、表シール１２や裏シール１３を設けないでも、後述するカバー３０の第１面（連結面）３１によって物品収納部Ｓの表面側を閉鎖し、また、第２面３２によって物品収納部Ｓの裏面側を閉鎖することができる。つまり、物品２０によっては、表シール１２及び裏シール１３を省略することが可能である。なお、表シール１２と裏シール１３とのうちの一方を省略するようにしてもよい。
【００４７】
なお、裏シール１３の正面側の面（物品収納部Ｓ側の面）に着脱自在な接着剤を塗布した場合には、物品２０としてのナノブロックの複数のブロック２１を整列させる際に、この接着剤にくっつけることで不要な移動を防止して、組立作業性を高めることができる。
【００４８】
物品２０としては、物品収納部Ｓに収納できるものであれば任意のものを選択することができる。例えば、アクセサリー、写真、ハンカチ、ストラップ等が例示できる。図１，図２では、物品２０として、ナノブロック（登録商標）を選択した例を示している。ナノブロックは、ダイヤブロック（登録商標）やレゴ（登録商標）と同様、１種又は複数種の基本形状の、相互に係脱し得る複数のブロック２１（符号２１は、ブロックの総称に使用）よって構成されている。
【００４９】
図１１（Ａ）にナノブロックの基本形状のブロック２１（Ｂ１，Ｂ２，Ｂ３）の上面図、（Ｂ）に正面図を示す。例えば、ブロックＢ３は、縦Ｌ１×横Ｌ１の上面視が正方形の直方体状のブロック本体ｂ１とその上面に突設された円柱状の４つの凸部ｂ２と下面に形成されて隣接するブロック２１の凸部ｂ２が係脱可能な凹部Ｂ３とが一体となって形成されている。このブロックＢ３は、横Ｌ１，縦Ｌ１が例えば８ｍｍであり、高さＴが５ｍｍである。
【００５０】
また、ブロックＢ２（図１１中の二点鎖線参照）は、ブロックＢ３の縦又は横の一方を半分にした上面視形状が長方形状であり、上面に２つの凸部ｂ２を有している。寸法は、８ｍｍ×４ｍｍ×５ｍｍである。また、ブロックＢ１は、さらにブロックＢ２（図１１中の二点鎖線参照）の縦を半分にしたものであり、上面には１個の凸部ｂ２を有している。寸法は、４ｍｍ×４ｍｍ×５ｍｍである。さらに、基本形状のブロック２１として、上述のブロックＢ３の横の長さＬ１の２倍の長さＬ２のもの、３倍の長さＬ３のもの、４倍の長さのＬ４のもの等がある。また、基本形状以外のブロック２１として例えば、円筒形や円柱形のものがある。
【００５１】
なお、ダイヤブロックの各ブロック（不図示）は、基本形状のものが、上述のナノブロックの基本形状のブロックＢ１，Ｂ２，Ｂ３等の縦，横，高さがそれぞれ２倍となっていいて、大きさとしては８倍となっている。
【００５２】
本実施形態では、基本形状のブロック２１を、その凸部ｂ２がホルダ１０の前面１１Ａ側、また、その凹部ｂ３が後面１１Ｂ側に位置するようにして、ホルダ１０の厚さ方向に１列、厚さ方向に直交する縦方向（上下方向）及び横方向（左右方向）にそれぞれ複数列に整列されて、物品収納部Ｓに収納されている。
【００５３】
なお、この逆に、凸部ｂ２が後面１１Ｂ側、凹部ｂ３が前面１１Ａ側に位置するように整列させることも可能であるが、後述するカバー３０に窓部３１ａを設けて、ブロック２１が外部から視認できるようにした場合には、ブロック２１の特徴的な形状である凸部ｂ２が見えた方がよい。デザイン的にもまた興趣的にも好ましい。つまり、凸部ｂ２が表面１１Ａ側に位置する方がデザイン的にもまた興趣的にも好ましい。
【００５４】
上述のように、ナノブロックの複数のブロック２１をホルダ１０の厚さ方向に、ブロック２１の高さ方向が一致する向きに整列させて収納した場合、後述するホルダ３０や、上述の表シール１２、裏シール１３の厚さを考慮しない場合には、郵送セット１の全体の厚さを約５ｍｍに抑えることができる。
【００５５】
すなわち、郵送セット１の全体の重さを例えば５０ｇ以下の抑えることができれば、第一種郵便物の定形郵便物として郵送することが可能である。ダイヤブロックの場合は、全体の厚さが約１０ｍｍとなる。
【００５６】
なお、上述では、ブロック２１は、ホルダ１０の厚さ方向には１列の配列としてが、これに代えて、２列以上の複数列に配列することもできる。例えば、ナノブロックのブロック２１を２列（２段）、並べる場合は、ホルダ１０の前面１１Ａ側に位置するブロック２１の凹部ｂ３に、後面１１Ｂ側に位置するブロック２１の凸部を係合させることができるので、郵送セット１の全体の厚さは、５ｍｍ×２＝１０ｍｍとはならず、これよりも凸部ｂ２の高さ分だけ少ない、８ｍｍ程度の抑えることができる。したがって、この場合でも定形郵便での郵送が可能である。
【００５７】
なお、複数のブロック２１を整列させて物品収納部Ｓに収納する際、上述に代えて、例えば、図１１に示すブロックＢ３の場合、ホルダ１０の厚さ方向に縦又は横を向けて、凸部ｂ３が上を向くように整列させてもよい。この場合には、例えば、縦方向には、複数のブロック２１を、下段のブロック２１の凸部ｂ２に上段のブロック２１の凹部ｂ３を係合させて段積みすることができるので、その分、物品収納部Ｓに収納可能なブロック２１の個数を増加させることができる。
【００５８】
なお、複数のブロック２１の色については、これのブロック２１によって造形される物に応じて、複数色のブロック２１を収納しておくとよい。
【００５９】
図３に、カバー３０の展開図を示す。カバー３０全体は、展開状態において、ホルダ１０に対して、左右方向の長さが約２倍以上の長方形状に形成されている。カバー３０は、ホルダ１０の前面側（正面側）を覆う第１面（連結面）３１と、後面側（背面側）を覆う第２面（連結面）３２と、これら第１面３１と第２面３２とを連結するとともに、ホルダ１０の右側面１１Ｃを覆う第３面（連結面）と、ホルダ１０の左側面１１Ｄを覆う第４面（別の連結面）３４とを有している。カバー３０は、例えば、ボール紙を折曲することによって構成される。なお、第４面３４には、第１面３１の左端側の内面３１Ｂに貼着されるのりしろ３４ａが設けられている。
【００６０】
第１面３１は、ホルダ１０の前面１１Ａと同形、同寸法の長方形に形成されており、短辺は長さａ、長辺は長さｂに設定されている。第１面３１は、外面３１Ａと内面３１Ｂとを有していて、外面３１Ａには、例えば、郵送セット１を年賀状として使用する場合には、郵便物（定形、定形外）郵便物の記載事項として、年賀状の記載事項（様式）、例えば、「切手を張る部分」３１ｂ、物品の名称（例えば、「ナノブロック」）３１ｃ、「郵便番号の枠」３１ｄ、「年賀」３１ｅ等が記載されている。
【００６１】
また、第１面３１には、下側の左側に、円形の窓部３１ａが外面３１Ａと内面３１Ｂとを貫通するように形成されている。この窓部３１ａは、上述のホルダ１０の物品収納部Ｓに対応する位置に形成されている。このため、郵送セット１の外側から、窓部３１ａ、光透過性の表シール１２を介して、物品収納部Ｓに収納されている物品２０を視認することが可能となる。この窓部３１ａからは、物品２０の一部が見えるので、郵送セット１の受取人は、物品２０を取り出す楽しみが倍増される。なお、特に、外部から物品２０を見せる必要がない場合等には、窓部３１ａを省略してもよい。
【００６２】
第２面３２は、ホルダ１０の後面１１Ｂと同形、同寸法の長方形に形成されており、短辺は長さａ、長辺は長さｂに設定されている。第２面３２は、外面３２Ａと内面３２Ｂとを有していて、外面３２Ａには、物品２０としてのナノブロック２１が選択された場合には、ナノブロック２１によって造形される物（例えば、動物や建物、乗り物等）の組立後の実際の写真やイラストを印刷しておくとよい。
【００６３】
さらに、第２面３２が年賀状として使用される場合には、物品収納部Ｓのブロック２１によって造形される完成品がその年に干支と同じになるようにして、ブロック２１の組立後の写真やイラスト３２ｂを印刷する。例えば、干支が「龍」である場合、ブロック２１の組立後の「龍」の写真やイラスト３２ｂ等が印刷する。また、郵送セット１を、来年（２０１３年）の年賀状として使用する場合には、ブロック２１によって「巳（ヘビ）」が造形できるようにするとともに、ブロック２１の組立後の「巳（ヘビ）」の写真やイラスト３２ｂを印刷する。
【００６４】
このように、ブロック２１によって造形される完成品の写真やイラスト３２ｂを外部から視認容易な第２面３２に印刷しておくことにより、郵送セット１の受取人の興趣をますことができる。
【００６５】
第３面３３は、ホルダ本体１１の右側面１１Ｃを覆うものであり、カバー３０の厚さを考慮に入れない場合には、右側面１１Ｅと同様、長さ（幅）ｔ、長さｂの短冊状に形成されている。第３面３３は、外面３３Ａと内面３３Ｂとを有していて、第１面（連結面）３１の一方の端縁（カバー３０の展開状態での右端縁）と第２面３２の一方の端縁（カバー３０の展開状態での左端縁）とを連結して、交差部（境界）Ａ１，Ｂ１を構成している。
【００６６】
第４面３４は、ホルダ本体１１の左側面１１Ｄを覆うものであり、カバー３０の厚さを考慮に入れない場合には、左側面１１Ｄと同様、長さ（幅）ｔ、長さｂの短冊状に形成されている。第４面３４は、外面３４Ａと内面３４Ｂとを有していて、第１面３１の他方の端縁（カバー３０の展開状態での左端縁）と第２面３２の他方の端縁（カバー３０の展開状態での右端縁）とを連結して、交差部（境界）Ａ２，Ｂ２を構成している。
【００６７】
カバー３０全体は、第１面３１と第３面３３との交差部Ａ１、第２面３２と第３面３３との交差部Ｂ１、第２面３２と第４面３４との交差部Ｂ２、第４面３４と第１面３１（のりしろ３４ａ）との交差部Ａ２で、図１に示すように折曲し、のりしろ３４ａを第１面３１の左端側の内面に貼着することで、第１面３１と第３面３３と第２面３２と第４面３４とが連なって筒状に構成される。この内側にホルダ１０を上側又は下側から挿入することができる。
【００６８】
カバー３０は、筒状に構成された状態において、上端側に開口部Ｋ１が、また下端側に開口部Ｋ２が形成される。
【００６９】
カバー３０は、展開状態において、第１面３１、第３面３３、第２面３２、第４面３４のそれぞれの外面３１Ａ，３３Ａ，３２Ａ，３４Ａが同一平面を形成し、また、それぞれの内面３１Ｂ，３３Ｂ，３２Ｂ，３４Ｂが同一平面を形成する。
【００７０】
本実施形態では、郵送セット１を手紙として郵送するのに必要な記載事項（印刷事項）は、すべて外面３１Ａ，３３Ａ，３２Ａ，３４Ａ側に設け、内面３１Ｂ，３３Ｂ，３２Ｂ，３４Ｂ側には、例えば、ナノブロックのブロック２１の組立手順や組立説明図等を印刷している。この場合には、組立図等を別途、紙片に印刷して同梱する必要がないので、印刷コスト、組立コスト、材料コスト等の低減につながる。
【００７１】
なお、内面３１Ｂ，３３Ｂ，３２Ｂ，３４Ｂ側に、組立手順や組立説明図を印刷するのに代えて、ナノブロックによって形成された完成品を置くための、完成品とデザイン的に統一性のある背景（図９参照）を印刷したり、立体画（図１０参照）を形成したりしてもよい。
【００７２】
図１，図３に示すように、カバー３０は、第４面３４Ａにおける、第１面３１との交差部Ａ２及び第２面３２との交差部Ｂ２に切り取り用のミシン線（ミシン目）Ｍ２，Ｍ２を設けている。これらミシン線Ｍ２，Ｍ２は、カバー３０の上端側の開口部Ｋ１から下端側の開口部Ｋ２に至るように設けられている。
【００７３】
これにより、カバー３０を外してホルダ１０を取り出す際に、これらミシン線Ｍ２，Ｍ２を切り取って、第４面３４を切除することにより、カバー３０を簡単に、素早く開くことができる。なお、ミシン線Ｍ２，Ｍ２は、いずれか一方にしてもよく、またこれらのミシン線Ｍ２，Ｍ２に代えて、第４面３４の幅方向の中央に、長手方向に沿って１本のミシン線（不図示）を形成するようにしてもよい。
【００７４】
なお、上述の第４面３４にミシン線Ｍ１を設ける代わりに、第３面３３に同様のミシン線（不図示）を設けるようにしてもよい。ただし、図３から明らかなように、ミシン線Ｍ１を第４面３４に設けた場合には、第４面３４を切除して、カバー３０を開いた際に、第１面３１ａの窓部３１ａが展開状態のカバー３０の左右方向の一方の端部近傍に位置する。
【００７５】
このため、カバー３０の内面３１Ｂ，３３Ｂ，３２Ｂ，３４Ｂに組立説明図や背景を印刷する際の妨げになりにくい。これに対し、ミシン線Ｍ１を第３面３３に設けた場合には、第３面３３を切除して、カバー３０を開いた際に、第１面３１ａの窓部３１ａが展開状態のカバー３０の左右方向の一方の中央近傍に位置する。このため、カバー３０の内面３１Ｂ，３３Ｂ，３２Ｂ，３４Ｂに組立説明図や背景を印刷する際の邪魔になるおそれがある。
【００７６】
なお、上述では、カバー３０が筒状に形成される場合を例に説明したが、これに加え、カバー３０と一体に、上側の開口部Ｋ１を覆う天部（不図示）や下側の開口部Ｋ２を覆う底部（不図示）を設けるようにしてもよい。この場合には、２つの開口部Ｋ１，Ｋ２が覆われることになるので、カバー３０にホルダ１０を挿入して組み立てた後の郵送セット１において、留め手段４０は、閉鎖されていない方の開口部に設ければ十分なので、組立作業性を向上させることができる。
【００７７】
図１に示すように、留め手段４０は、ホルダ１０にカバー３０を固定するためのものであり、例えば、接着剤が塗布されたテープやシールを使用することができる。留め手段４０としては、テープやシールの外に、例えば、ホルダ１０とカバー３０の相互に接触する面の一方に、帯状に接着剤を塗布し、この接着剤に剥離紙を貼り、使用時には、この剥離紙を剥がして接着剤により、ホルダ１０とカバー３０とを接着するようにしてもよい。
【００７８】
なお、留め手段４０としては、繰り返し、接着剥離可能なものを使用してもよい。この場合には、例えば、ホルダ１０とカバー３０とを留め手段４０によって接着した後に、カバー３０に必要事項を記載する場合、この記載事項を誤記した場合等に、留め手段４０を剥がして、カバー３０のみを容易に交換することができる。また、ホルダ１０に一旦、カバー３０を接着した後に、留め手段４０を剥がし、カバー３０を取り外して、物品収納部Ｓ内の物品２０を交換することも可能である。
【００７９】
また、例えば、カバー３０を先に筒状に形成しておき、その内側に、上側の開口部Ｋ１または下側の開口部Ｋ２からホルダ１０を挿入し、カバー３０とホルダ１０とがきつく組み合わさって、ホルダ１０が容易には抜け落ちないような場合には、留め手段４０を省略することができる。この場合には、ホルダ１０に対して、カバー３０がきつくなるように構成することで、カバー３０とホルダ１０との間に作用する摩擦力が、留め手段４０に相当する。
【００８０】
上述した郵送セット１は、以下のような効果を奏する。
【００８１】
（１）ホルダ１０の物品収納部Ｓに物品２０を収納し、カバー３０の第１面３１，第３面３３、第２面３２、第４面３４によりホルダ１０の前面１１Ａ、右側面１１Ｃ，後面１１Ｂ、左側面１１Ｄを覆うことにより、接着剤を使用することなく物品収納部Ｓから物品２０が脱落することを防止することができるので、カード等と比較して厚さが厚く、また、任意の形状の物品２０を保持することができる。また、カバー３０は、展開状態において、シート状となるので、カバーに対して印刷等が容易である。
【００８２】
（２）ホルダ１０の前面１１Ａ、後面１１Ｂ、カバー３０の第１面３１、第２面３２が同じ大きさの長方形状に形成されているので、ホルダ１０、カバー３０の取り扱いが容易で、また、材料の無駄も発生しにくい。
【００８３】
（３）郵送セット１全体を定形郵便物又は定形外郵便物として容易に使用することができる。
【００８４】
（４）ホルダ１０は、物品収納部Ｓの表面側及び裏面側を閉鎖する表シール１２、裏シール１３を有しているので、これら表シール１２、裏シール１３によって、物品収納部Ｓに収納された物品２０の脱落を防止することができるので、カバー３０がなくとも、物品が収納されたホルダ１０単体として、容易に取り扱い、また流通させることができる。
【００８５】
なお、ホルダ１０単体として取り扱わない場合、ホルダ１０の物品収納部Ｓの表面側及び裏面側を、カバー３０の第１面３１及び第２面３２によって有効に閉鎖できる場合には、表シール１２や裏シール１３を省略することも可能である。
【００８６】
（５）表シール１２が光透過性の部材で形成されているので、この表シール１２を通して、物品収納部Ｓに収納された物品２０をホルダ１０の外部から視認することができる。
【００８７】
（６）カバー３０の第１面３１の窓部３１ａを通して、カバー３０の外側から、ホルダ１０の物品収納部Ｓに収納された物品２０の少なくとも一部を視認することができる。このため、郵送セット１の受取人は、一部から全体を想像しながら物品２０を取り出す等、楽しみが増える。
【００８８】
（７）物品２０を干支に因んだものとする場合には、郵送セット１を、年賀状の郵送セットとして有効に使用することができる。なお、物品２０が干支に因んだものでなくてもよいのはもちろんである。
【００８９】
（８）組み立てて完成品を作製する複数のブロック２１が物品収納部Ｓに収納されているので、物品２０として、完成品の例えば高さや面積が、郵送セット１の厚さや面積を超えるようなものを採用することができる。なお、物品２０としては、ハンカチやストラップ等、組み立てる必要がないものであってもよいのはもちろんである。
【００９０】
（９）裏シール１３の外面１３Ａに、物品２０の組み立て図が記載されている場合は、物品を収納したホルダ１０単体で、流通させることができる。
【００９１】
以上の実施形態では、カバー３０の連結部３３Ａ，３４Ａが、ホルダ１０の右側面１１Ｃ、左側面１１Ｄを覆うものである場合を例に説明したが、これに代えて、連結部がホルダ１０の上側面１１Ｅ、下側面１１Ｆを覆うものであってもよい。
【００９２】
以上の実施形態では、郵送セット１の形状が、長方形の板状である場合を説明したが、これに代えて、正方形、菱形、平行四辺形、台形、円形、楕円形等の形状とすることも可能である。ただし、この場合には、ホルダ１０、カバー３０等もこれに対応した形状とする。
【００９３】
また、以上の実施形態では、郵送セット１を年賀状として使用する場合を例に説明したが、これに限定されるものではない。例えば、クリスマスカード、バースデーカード、土産物のポストカード、バレンタインカード、暑中見舞い、転居の挨拶、母の日・父の日のカード、ハロウィンカード、結婚報告カード、出産報告（祝い）カード、お中元・お歳暮、イベントのＤＭ（ダイレクトメール）、販売促進のＤＭ、敬老の日のカード、子供の日のカード、雛祭りのカード、入学祝いカード、就職祝いカード、お礼状等に使用することが可能である。ただし、これらに合わせて、物品２０を変更したり、記載事項の印刷を変えたりするものとする。
【００９４】
以上説明した郵送セット１は、完成品であっても、キットであってもよい。
【００９５】
ここで、完成品とは、ホルダ１０全体を、筒状のカバー３０で覆ったものをいう。なお、完成品の場合には、上述のナノブロックのように、ホルダ１０の物品収納部Ｓに、あらかじめ収納しておくようにしてもよい。完成品の場合、物品２０が何であるかが優先されて、その物品２０を簡単に郵送することができるというメリットがある。
【００９６】
これに対し、キットとは、ホルダ１０と、カバー３０と、留め手段４０とが個別に設けられたものである。なお、留め手段４０については、上述のように、ホルダ１０又はカバー３０に設けられている場合もある。
【００９７】
このキットは、キットの場合、カバー３０については、筒状が容易に形成できるようにあらかじめ交差部Ａ１，Ａ２，Ｂ１，Ｂ２が折曲されていても、されていなくてもいずれの状態であってもよい。このキットの場合、ホルダ１０の物品収納部Ｓに収納する物品２０の選択を比較的自由の行うことができる。キットは、物品２０を郵送するためのキットが優先され、郵送する物品２０は、郵送する本人が選択するようになる。
【００９８】
以上の実施形態において、図３に示すように、例えば、カバー３０の第２面３２の上端縁３２ｃ、下端縁３２ｄにそれぞれ蓋部３２ｅ，３２ｆを設けるようにしてもよい。カバー３０全体を筒状に構成し、その内側にホルダ１０を挿入した場合、カバー３０の上端側と下端側とに開口部Ｋ１，Ｋ２が形成されるが、これらの開口部Ｋ１，Ｋ２を蓋部３２ｅ，３２ｆによって閉鎖することができる。この場合には、蓋部３２ｅ，３２ｆは、留め手段４０を兼用することになる。
【００９９】
以上説明した郵送セット１は、完成品であっても、キットであってもよい。この場合、きっととは、ホルダ１０とカバー３０とが組み合わされていない状体、すなわち、筒状のカバー３０に対して、ホルダ１０が挿入されていない状体をいう。なお、ホルダ１０については、筒状に形成されている場合の外に、展開状態であってもよい。この場合には、カバー３２に対して、プリンタ等を使用して印刷することが容易であり、印刷後、糊白３４ａを使用して筒状に形成することができる。
＜実施形態２＞
【０１００】
図４〜図１０を参照して、本考案を適用した種々のバリエーションを説明する。
【０１０１】
図４に示す郵送セット１Ａは、カバー３０が、第１面３１のみによって形成されている。このカバー３０をホルダ１０の前面１１Ａに、シール等の留め手段４０で取り付ける。郵送セット１Ａは、カバー３０の構成が単純で、作成が容易である。なお、さらに第２面３２（図１参照）を設けるようにしてもよい。
【０１０２】
図５に示す郵送セット１Ｂは、図４に示す郵送セット１Ａの変形例であり、ホルダ１０の前面１１Ａの４隅にあらかじめシール等の留め手段４０が設けられていて、第１面３１からなるカバー３０をこれら留め手段４０に押し付けるだけで、簡単にホルダ１０に取り付けることができる。
【０１０３】
図６に示すホルダ１０Ａは、全体が箱型に形成されていて、内側全体が物品収納部Ｓとなっている。上端の開口部には、開閉自在な蓋部３２ｇが設けられている。このホルダ１０Ａによると、物品収納部Ｓに対して、物品２０を開口部から簡単に投入することができる。
【０１０４】
図７に示すカバー３０Ａは、第１面３１、第３面３３、第２面３２、第４面３４を有していて、筒状に構成される。交差部Ａ１に挿入孔５１が形成されていて、第１面３１から突出された挿入片５２を挿入孔５１に挿し込むことで、筒状を構成することができる。これが留め手段４０に相当して、シール等が不要である。
【０１０５】
図８に示すホルダ３０Ｂは、厚手のポケットＰ１と薄手のポケットＰ２を有していて、全体を２つ折りすることによって構成される。例えば、ポケットＰ１には、ブロック２１（図１参照）を面状に敷き詰めてシールでカバーしたものを挿入し、ポケットＰ２には、組立説明書や、メッセージを挿入する。
【０１０６】
図９に示すカバー１０Ｃは、内面Ｂに、例えば、池Ｂ１、草Ｂ２、木Ｂ３などが印刷されていて、これらを切り抜いて、飾りや遊びに使用することができる。また、例えば、物品２０がナノブロックのブロック２１である場合、ブロック２１の組立後の完成品の関連性のある背景等を印刷しておいて、この背景に完成品を載置するようにしてもよい。
【０１０７】
図１０に示すカバー３０Ｃは、内面Ｂに、カバー１０Ｄを開いたときに立ち上がる、例えば、草Ｂ４や木Ｂ５が設けられている。郵送セットの受取人は、郵送セットで送られてきた物品２０を楽しむのに加えて、開放すると立体画が現れるカバー１０Ｄも楽しむことができる。さらに、立体画をナノブロックのブロック２１の完成品とデザイン的に関連性を持たせることにより、完成品の載置台として使用することができる。
＜実施形態３＞
【０１０８】
図１２，図２，図１３を参照して本考案を適用した実施形態３に係る郵便セット１について説明する。なお、以下の説明では、図１２中の矢印の前後左右上下が、それぞれ郵便セット１の前後左右上下であるものとして説明する。
【０１０９】
郵便セット１は、ホルダ１０と、物品２０と、カバー３０Ｄとを備えて構成されている。郵便セット１全体は、縦長の長方形の板状に形成されている。
【０１１０】
郵送セット１は、ホルダ１０と、物品２０と、カバー３０Ｄとを備えて構成されている。郵送セット１全体は、縦長の長方形の板状に形成されている。ここで、郵送セット１の左右寸法（短辺）を長さａ、高さ寸法（長辺）を長さｂ、前後寸法を厚さｔ、重さをｗとする。
【０１１１】
郵送セット１全体を、例えば、第一種郵便物の定形郵便物として取り扱う場合には、９ｃｍ≦ａ≦１２ｃｍ、１４ｃｍ≦ｂ≦２３．５ｃｍ、ｔ≦１ｃｍに設定する。この場合、ｗ≦２５ｇであれば、８０円で郵送することができ、また、ｗ≦５０ｇであれば、９０円で郵送することができる。
【０１１２】
また、郵送セット１全体を、例えば、第一種郵便物の定形外郵便物として郵送する場合には、１４ｃｍ≦ｂ≦６０ｃｍ、９ｃｍ≦ａ、ａ＋ｂ＋ｃ≦９０ｃｍ、ｗ≦４ｋｇに設定する。この場合の郵送料金は、ｗが増加するのに従って、段階的に増加し、例えば、最大の４ｋｇで１１５０円である。
【０１１３】
ホルダ１０全体は、図１２，図２に示すように、郵送セット１と同様、縦長の長方形の板状に形成されている。ホルダ１０の短辺、長辺、厚さは、後述するカバー３０Ｄの厚さを考慮しない場合には、郵送セット１と同様の長さａ，ｂ，ｔとなる。
【０１１４】
ホルダ１０は、外形が縦長の長方形のホルダ本体１１と、その前面（表面）１１Ａ側に貼着された表シール１２と、後面（裏面）１１Ｂ側に貼着された裏シール１３とを有している。ホルダ１０は、他に、前面１１Ａと後面１１Ｂとの間に、厚さ（ｔ）に対応する４つの側面として、右側面１１Ｃ、左側面１１Ｄ、上側面１１Ｅ、下側面１１Ｆを有している。
【０１１５】
ホルダ本体１１には、長方形状（又は正方形状）の物品収納部Ｓが形成されている。この物品収納部Ｓは、ホルダ本体１１の前面１１Ａと後面１１Ｂとを貫通するように構成されている。つまり、物品収納部Ｓは、ホルダ本体１１のうちの、上側の左右に長い部分１１ａ、左側の縦に長い部分１１ｂ、右側の縦に長い部分１１ｃ、下側の左右に長い部分１１ｄに囲繞されるように形成されている。なお、図示例では、物品収納部Ｓの形状は、長方形状であるが、この形状については、例えば、物品２０に対応して、他の任意の形状、例えば、菱形、平行四辺形、円形、楕円形としてもよい。
【０１１６】
ここで、ホルダ本体１１の物品収納部Ｓに後述する裏シール１３を設けることにより、ホルダ１１全体としては、物品収納部Ｓが、前面（表面）１１Ａ側から後面（裏面）１１Ｂ側に向かう厚さ方向に窪んだ凹状に形成されていることになる。
【０１１７】
なお、物品収納部Ｓとしては、上述のように、ホルダ本体１１の前面１１Ａと後面１１Ｂとを貫通するものの他に、貫通しない凹部（不図示）であってもよい。例えば、３枚のボール紙を重ね合わせてホルダ本体１１を構成する場合、前面１１Ａ側の２枚のボール紙については表裏方向に貫通する透孔を設け、残りの後面１１Ｂ側の１枚のボール紙については、何も設けず、３枚を貼り合わせる。これにより、前面１１Ａ側から凹んだ凹部を構成することができる。この場合、３枚目のボール紙は、凹部の底部を構成することになる。なお、このように表裏方向に貫通しない凹部を設ける場合には、後述する裏シール１３を省略することが可能である。
【０１１８】
ホルダ本体１１は、例えば、ボール紙や合成樹脂（発泡スチロール）によって作製することができる。物品収納部Ｓを形成する方法としては、例えば、ホルダ本体１１が複数のボール紙を張り合わせて形成されている場合には、各ボール紙に物品収納部Ｓと同形の孔を開けておき、これらボール紙を重ね合わせることで、物品収納部Ｓを形成することができる。また、ホルダ本体１１から、プレス等で物品収納部Ｓを打ち抜いて形成することもできる。
【０１１９】
なお、物品収納部Ｓは、上述の部分１１ａ，１１ｂ，１１ｃ，１１ｄの少なくともいずれかがない、例えば、部分１１ｃを設けないで構成することも可能ではあるが、図示例のように、周囲全体が部分１１ａ，１１ｂ，１１ｃ，１１ｄで囲繞されるように構成することにより、ホルダ本体１１の強度を確保することができる。
【０１２０】
表シール１２は、物品収納部Ｓの前面１１Ａ側を覆うものであり、例えば、光透過性（透明又は半透明）のシールによって構成することができる。表シール１２は、その上側、左側、右側、下側を、それぞれこの順に、ホルダ本体１１の部分１１ａ，１１ｂ，１１ｃ，１１ｄに接着剤等によって貼着することにより、物品収納部Ｓの表面側（正面側）を閉鎖する。表シール１２を剥離することにより、物品収納部Ｓに収納されていた物品２０を取り出すことができる。表シール１２を光透過性のもので構成することにより、表シール１２を剥がすことなく、ホルダ１０の外部から、物品２０を視認することができる。
【０１２１】
表シール１２は、特に物品収納部Ｓに収納された物品２０が外部から見えるようにする必要がない場合には、光透過性の部材以外の部材で形成するようにしてもよい。
【０１２２】
裏シール１３は、長方形に形成されていて、短辺及び長辺の長さａ，ｂが、ホルダ本体１１と同じに設定されている。裏シール１３は、ホルダ本体１１の後面１１Ｂの全体に貼着されることにより、物品収納部Ｓの裏面側（背面側）を閉鎖している。裏シール１３の後面１３Ａには、例えば、物品２０の効能の説明、取り扱い説明、組立説明等を記載しておくとよい。これにより、ホルダ１０を単体の商品として販売したり、流通させたりすることが容易となる。なお、これらの記載に代えて、これらを記載した紙片等を、物品収納部Ｓに物品２０と一緒に入れるようにしてもよい。
【０１２３】
なお、裏シール１３は、ホルダ本体１１の後面１１Ｂの全体を覆う代わりに、物品収納部Ｓの裏面側のみを覆うようにしてもよい。この場合には、裏シール１３を小さくすることができ、材料の節約になる。
【０１２４】
ホルダ１０は、厚さｔを変えることで、物品収納部Ｓに種々の物品２０を収納することが可能となる。
【０１２５】
なお、物品収納部Ｓに収納する物品２０によっては、必ずしも表シール１２及び裏シール１３を設ける必要はない。例えば、物品２０として、ハンカチやストラップを物品収納部Ｓに収納する場合には、特に、表シール１２や裏シール１３を設けないでも、後述するカバー３０Ｄの第１面（連結面）３１によって物品収納部Ｓの表面側を閉鎖し、また、第２面３２によって物品収納部Ｓの裏面側を閉鎖することができる。つまり、物品２０によっては、表シール１２及び裏シール１３を省略することが可能である。なお、表シール１２と裏シール１３とのうちの一方を省略するようにしてもよい。
【０１２６】
なお、裏シール１３の正面側の面（物品収納部Ｓ側の面）に着脱自在な接着剤を塗布した場合には、物品２０としてのナノブロックの複数のブロック２１を整列させる際に、この接着剤にくっつけることで不要な移動を防止して、組立作業性を高めることができる。
【０１２７】
物品２０としては、物品収納部Ｓに収納できるものであれば任意のものを選択することができる。例えば、アクセサリー、写真、ハンカチ、ストラップ等が例示できる。図１，図２では、物品２０として、ナノブロック（登録商標）を選択した例を示している。ナノブロックは、ダイヤブロック（登録商標）やレゴ（登録商標）と同様、１種又は複数種の基本形状の、相互に係脱し得る複数のブロック２１（符号２１は、ブロックの総称に使用）よって構成されている。
【０１２８】
図１１（Ａ）にナノブロックの基本形状のブロック２１（Ｂ１，Ｂ２，Ｂ３）の上面図、（Ｂ）に正面図を示す。例えば、ブロックＢ３は、縦Ｌ１×横Ｌ１の上面視が正方形の直方体状のブロック本体ｂ１とその上面に突設された円柱状の４つの凸部ｂ２と下面に形成されて隣接するブロック２１の凸部ｂ２が係脱可能な凹部Ｂ３とが一体となって形成されている。
【０１２９】
このブロックＢ３は、横Ｌ１，縦Ｌ１が例えば８ｍｍであり、高さＴが５ｍｍである。また、ブロックＢ２（図１１中の二点鎖線参照）は、ブロックＢ３の縦又は横の一方を半分にした上面視形状が長方形状であり、上面に２つの凸部ｂ２を有している。寸法は、８ｍｍ×４ｍｍ×５ｍｍである。また、ブロックＢ１は、さらにブロックＢ２（図１１中の二点鎖線参照）の縦を半分にしたものであり、上面には１個の凸部ｂ２を有している。寸法は、４ｍｍ×４ｍｍ×５ｍｍである。さらに、基本形状のブロック２１として、上述のブロックＢ３の横の長さＬ１の２倍の長さＬ２のもの、３倍の長さＬ３のもの、４倍の長さのＬ４のもの等がある。また、基本形状以外のブロック２１として例えば、円筒形や円柱形のものがある。
【０１３０】
なお、ダイヤブロックの各ブロック（不図示）は、基本形状のものが、上述のナノブロックの基本形状のブロックＢ１，Ｂ２，Ｂ３等の縦，横，高さがそれぞれ２倍となっていいて、大きさとしては８倍となっている。
【０１３１】
本実施形態では、基本形状のブロック２１を、その凸部ｂ２がホルダ１０の前面１１Ａ側、また、その凹部ｂ３が後面１１Ｂ側に位置するようにして、ホルダ１０の厚さ方向に１列、厚さ方向に直交する縦方向（上下方向）及び横方向（左右方向）にそれぞれ複数列に整列されて、物品収納部Ｓに収納されている。なお、この逆に、凸部ｂ２が後面１１Ｂ側、凹部ｂ３が前面１１Ａ側に位置するように整列させることも可能であるが、後述するカバー３０Ｄに窓部３１ａを設けて、ブロック２１が外部から視認できるようにした場合には、ブロック２１の特徴的な形状である凸部ｂ２が見えた方がよい。デザイン的にもまた興趣的にも好ましい。つまり、凸部ｂ２が表面１１Ａ側に位置する方がデザイン的にもまた興趣的にも好ましい。
【０１３２】
上述のように、ナノブロックの複数のブロック２１をホルダ１０の厚さ方向に、ブロック２１の高さ方向が一致する向きに整列させて収納した場合、後述するホルダ３０や、上述の表シール１２、裏シール１３の厚さを考慮しない場合には、郵送セット１の全体の厚さを約５ｍｍに抑えることができる。すなわち、郵送セット１の全体の重さを例えば５０ｇ以下の抑えることができれば、第一種郵便物の定形郵便物として郵送することが可能である。ダイヤブロックの場合は、全体の厚さが約１０ｍｍとなる。
【０１３３】
なお、上述では、ブロック２１は、ホルダ１０の厚さ方向には１列の配列としてが、これに代えて、２列以上の複数列に配列することもできる。例えば、ナノブロックのブロック２１を２列（２段）、並べる場合は、ホルダ１０の前面１１Ａ側に位置するブロック２１の凹部ｂ３に、後面１１Ｂ側に位置するブロック２１の凸部を係合させることができるので、郵送セット１の全体の厚さは、５ｍｍ×２＝１０ｍｍとはならず、これよりも凸部ｂ２の高さ分だけ少ない、８ｍｍ程度の抑えることができる。したがって、この場合でも定形郵便での郵送が可能である。
【０１３４】
なお、複数のブロック２１を整列させて物品収納部Ｓに収納する際、上述に代えて、例えば、図１１に示すブロックＢ３の場合、ホルダ１０の厚さ方向に縦又は横を向けて、凸部ｂ３が上を向くように整列させてもよい。この場合には、例えば、縦方向には、複数のブロック２１を、下段のブロック２１の凸部ｂ２に上段のブロック２１の凹部ｂ３を係合させて段積みすることができるので、その分、物品収納部Ｓに収納可能なブロック２１の個数を増加させることができる。
【０１３５】
なお、複数のブロック２１の色については、これのブロック２１によって造形される物に応じて、複数色のブロック２１を収納しておくとよい。
【０１３６】
図１３に、カバー３０Ｄの展開図を示す。カバー３０Ｄ全体は、展開状態において、ホルダ１０に対して、左右方向の長さが略２倍の長方形状に形成されている。カバー３０Ｄは、ホルダ１０の前面（正面）１１Ａ側を覆う第１面３１と、後面（背面）１１Ｂ側を覆う第２面３２と、これら第１面３１と第２面３２とを連結するとともにホルダ１０の右側面（側面）１１Ｃを覆う第３面３３とを有している。カバー３０Ｄは、例えば、ボール紙を折曲することによって構成される。
【０１３７】
第１面３１は、ホルダ１０と同形、同寸法の長方形に形成されており、短辺は長さａ、長辺は長さｂに設定されている。第１面３１は、外面３１Ａと内面３１Ｂとを有していて、外面３１Ａには、例えば、郵送セット１を年賀状として使用する場合には、年賀状の記載事項（様式）、例えば、「切手を張る部分」３１ｂ、物品の名称（例えば、「ナノブロック」）３１ｃ、「郵便番号の枠」３１ｄ、「年賀」３１ｅ等が記載されている。
【０１３８】
また、第１面３１には、下側の左側に、円形の窓部３１ａが外面３１Ａと内面３１Ｂとを貫通するように形成されている。この窓部３１ａは、上述のホルダ１０の物品収納部Ｓに対応する位置に形成されている。このため、郵送セット１の外側から、窓部３１ａ、光透過性の表シール１２を介して、物品収納部Ｓに収納されている物品２０を視認することが可能となる。この窓部３１ａからは、物品２０の一部が見えるので、郵送セット１の受取人は、物品２０を取り出す楽しみが倍増される。なお、特に、外部から物品２０を見せる必要がない場合等には、窓部３１ａを省略してもよい。
【０１３９】
第２面３２は、ホルダ１０と同形、同寸法の長方形に形成されており、短辺は長さａ、長辺は長さｂに設定されている。第２面３２は、外面３２Ａと内面３２Ｂとを有していて、外面３２Ａは、年賀状の裏面として使用されていて、例えば、「賀正」３２ａ、その年の干支の「龍」３２ｂ等が印刷されている。特に、図示例では、ナノブロックを組み立てて完成した状態の「龍」３２ｂの写真又はイラストが印刷されている。
【０１４０】
第３面３３は、ホルダ本体１１の右側面１１Ｃを覆うものであり、カバー３０Ｄの厚さを考慮に入れない場合には、右側面１１Ｃと同様、長さ（幅）ｔ、長さｂの短冊状に形成されている。第３面３３は、外面３３Ａと内面３３Ｂとを有していて、第１面３１と第２面３２とを連結している。
【０１４１】
カバー３０Ｄ全体は、第１面３１と第３面３３との間（境界）、及び第２面３２と第３面３３との間（境界）で、図１２に示すように折曲することで、第１面３１と第２面３２との間にホルダ１０を挟み込むことができるブックカバー状に構成される。
【０１４２】
カバー３０Ｄは、展開状態において、第１面３１、第２面３２、第３面３３のそれぞれの外面３１Ａ，３２Ａ，３３Ａが同一平面を形成し、また、それぞれの内面３１Ｂ，３２Ｂ，３３Ｂが同一平面を形成する。本実施形態では、定形郵便物又は定形外郵便物として必要な記載事項（印刷事項）は、外面３１Ａ，３２Ａ，３３Ａ側に印刷し、内面３１Ｂ，３２Ｂ，３３Ｂには、ナノブロックのブロック２１の組立手順、組立説明図等を印刷している。
【０１４３】
図１２に示すように、留め手段４０は、ホルダ１０にカバー３０Ｄを固定するためのものであり、例えば、接着剤が塗布されたテープやシールを使用することができる。なお、図示例では、留め手段４０は、郵送セット１の上側と下側とに設けているが、さらに、例えば、左側にも追加して設けるようにしてもよい。留め手段４０としては、テープやシールの外に、例えば、ホルダ１０とカバー３０Ｄの相互に接触する面の一方に、帯状に接着剤を塗布し、この接着剤に剥離紙を貼り、使用時には、この剥離紙を剥がして接着剤により、ホルダ１０とカバー３０Ｄとを接着するようにしてもよい。
【０１４４】
なお、留め手段４０としては、繰り返し、接着剥離可能なものを使用してもよい。この場合には、例えば、ホルダ１０とカバー３０Ｄとを留め手段４０によって接着した後に、カバー３０Ｄに必要事項を記載する場合、この記載事項を誤記した場合等に、留め手段４０を剥がして、カバー３０Ｄのみを容易に交換することができる。また、ホルダ１０に一旦、カバー３０Ｄを接着した後に、留め手段４０を剥がし、カバー３０Ｄを取り外して、物品収納部Ｓ内の物品２０を交換することも可能である。
【０１４５】
上述した郵送セット１は、以下のような効果を奏する。
【０１４６】
（１）ホルダ１０の物品収納部Ｓに物品２０を収納し、カバー３０Ｄの第１面３１によりホルダ１０の表面側を、また、第２面３２によりホルダ１０の裏面側を覆うことにより、接着剤を使用することなく物品収納部Ｓから物品２０が脱落することを防止することができるので、カード等と比較して厚さが厚く、また、任意の形状の物品２０を保持することができる。また、カバー３０Ｄは、展開状態において、シート状となるので、カバーに対して印刷等が容易である。
【０１４７】
（２）ホルダ１０と、カバーの第１面３１及び第２面３２が同じ大きさの長方形状に形成されているので、ホルダ１０、カバー３０Ｄの取り扱いが容易で、また、材料の無駄も発生しにくい。
【０１４８】
（３）郵送セット１全体を定形郵便物、定形外郵便物として容易に、しかも経済的に使用することができる。
【０１４９】
（４）ホルダ１０は、物品収納部Ｓの表面側及び裏面側を閉鎖する表シール１２、裏シール１３を有しているので、これら表シール１２、裏シール１３によって、物品収納部Ｓに収納された物品２０の脱落を防止することができるので、カバー３０Ｄがなくとも、物品が収納されたホルダ１０単体として、容易に取り扱い、また流通させることができる。
【０１５０】
なお、ホルダ１０単体として取り扱わない場合、ホルダ１０の物品収納部Ｓの表面側及び裏面側を、カバー３０Ｄの第１面３１及び第２面３２によって有効に閉鎖できる場合には、表シール１２や裏シール１３を省略することも可能である。
【０１５１】
（５）表シール１２が光透過性の部材で形成されているので、この表シール１２を通して、物品収納部Ｓに収納された物品２０をホルダ１０の外部から視認することができる。
【０１５２】
（６）カバー３０Ｄの第１面３１の窓部３１ａを通して、カバー３０Ｄの外側から、ホルダ１０の物品収納部Ｓに収納された物品２０の少なくとも一部を視認することができる。このため、郵送セット１の受取人は、一部から全体を想像しながら物品２０を取り出す等、楽しみが増える。
【０１５３】
（７）物品２０が干支に因んだものである場合、郵送セット１を、年賀状の郵送セットとして有効に使用することができる。なお、物品２０が干支に因んだものでなくてもよいのはもちろんである。
【０１５４】
（８）組み立てて完成品を作製する複数のブロック２１が物品収納部Ｓに収納されているので、物品２０として、完成品の例えば高さや面積が、郵送セット１の厚さや面積を超えるようなものを採用することができる。なお、物品２０としては、ハンカチやストラップ等、組み立てる必要がないものであってもよいのはもちろんである。
【０１５５】
（９）裏シール１３の外面１３Ａに、物品２０の組立図が記載されているので、物品２０を収納したホルダ１０単体で、流通させることができる。
【０１５６】
なお、上述では、カバー３０Ｄの第１面３１と第２面３２とを連結する連結部３３を、ホルダ１０の右側面１１Ｃを覆う位置に設けたが、これに代えて、左側面１１Ｄ、上側面１１Ｅ、下側面（不図示）のいずれか１つを覆う位置に設けるようにしてもよい。
【０１５７】
以上の実施形態では、郵送セット１の形状が、長方形の板状である場合を説明したが、これに代えて、正方形、菱形、平行四辺形、台形、円形、楕円形等の形状とすることも可能である。ただし、この場合には、ホルダ１０、カバー３０Ｄ等もこれに対応した形状とする。
【０１５８】
また、以上の実施形態では、郵送セット１を年賀状として使用する場合を例に説明したが、これに限定されるものではない。例えば、クリスマスカード、バースデーカード、土産物のポストカード、バレンタインカード、暑中見舞い、転居の挨拶、母の日・父の日のカード、ハロウィンカード、結婚報告カード、出産報告（祝い）カード、お中元・お歳暮、イベントのＤＭ（ダイレクトメール）、販売促進のＤＭ、敬老の日のカード、子供の日のカード、雛祭りのカード、入学祝いカード、就職祝いカード、お礼状等に使用することが可能である。ただし、これらに合わせて、物品２０を変更したり、記載事項の印刷を変えたりするものとする。
【０１５９】
以上説明した郵送セット１は、完成品であっても、キットであってもよい。
【０１６０】
ここで、完成品とは、ホルダ１０の表面側を、カバー３０Ｄの第１面３１で実際に覆い、また、ホルダ１０の裏面側を、カバー３０Ｄの第２面３２で実際に覆い、これら第１面３１及び第２面３２を留め手段４０によってホルダ１０に取り付けた状態のものをいう。なお、完成品の場合には、上述のナノブロックのように、ホルダ１０の物品収納部Ｓに、あらかじめ収納しておくようにしてもよい。完成品の場合、物品２０が何であるかが優先されて、その物品２０を簡単に郵送することができるというメリットがある。
【０１６１】
これに対し、キットとは、ホルダ１０と、カバー３０Ｄと、留め手段４０とが個別に設けられたものである。なお、留め手段４０については、上述のように、ホルダ１０又はカバー３０Ｄに設けられている場合もある。キットの場合、カバー３０Ｄについては、第１面３１と第３面３３の間、及び第２面３２と第３面３３との間は、折曲されていても、されていなくてもいずれの状態であってもよい。このキットの場合、ホルダ１０の物品収納部Ｓに収納する物品２０の選択を比較的自由の行うことができる。キットは、物品２０を郵送するためのキットが優先され、郵送する物品２０は、郵送する本人が選択するようになる。
【符号の説明】
【０１６２】
１，１Ａ，１Ｂ
郵送セット
１０    ホルダ
１１    ホルダ本体
１１Ａ  ホルダ（ホルダ本体）の前面（表面）
１１Ｂ  ホルダ（ホルダ本体）の後面（裏面）
１１Ｃ  ホルダ（ホルダ本体）の右側面（側面）
１１Ｄ  ホルダ（ホルダ本体）の左側面（別の側面）
１１Ｅ  ホルダ（ホルダ本体）の上側面（側面）
１１Ｆ  ホルダ（ホルダ本体）の下側面（側面）
２０    物品
２１    ブロック
３０，３０Ｂ，３０Ｃ，３０Ｄ
カバー
３１    第１面
３１ｂ  「切手を貼る部分」（記載事項）
３１ｃ  「郵便はがき」（記載事項）
３１ｄ  「郵便番号の枠」（記載事項）
３２    第２面
３２ｅ，３２ｆ
蓋部
３３    第３面（連結面）
３４    第４面（別の連結面）
４０    留め手段
Ａ１，Ａ２，Ｂ１，Ｂ２
交差部
Ｍ１，Ｍ２
ミシン線〈ミシン目〉
Ｓ      物品収納部
Ｔ      ブロックの高さ
Ｌ１    ブロックの幅
ｂ１    ブロック本体
ｂ２    凸部
ｂ３    凹部
【図１】
0003206987.tif 000003
【図２】
0003206987.tif 000004
【図３】
0003206987.tif 000005
【図４】
0003206987.tif 000006
【図５】
0003206987.tif 000007
【図６】
0003206987.tif 000008
【図７】
0003206987.tif 000009
【図８】
0003206987.tif 000010
【図９】
0003206987.tif 000011
【図１０】
0003206987.tif 000012
【図１１】
0003206987.tif 000013
【図１２】
0003206987.tif 000014
【図１３】
0003206987.tif 000015